(57)【特許請求の範囲】
【請求項１】
ウエスト部のタック部周辺に伸縮構造を備えた下半身衣服の製造方法であって、
一端が前記タック部の上側の布地に連続する腰裏地に接続され、他端が前記タック部の下側の布地に連続する腰裏地に接続されている第１の弾性体と、
一端が前記タック部の下側の布地に連続する芯地に接続され、他端が同上側芯地に接続されている第２の弾性体と、
一端がポケット袋地の前上端部に接続され、他端が前記ウエスト部の上側の布地に連続する腰裏地に接続されてＵ字形となっている第３の弾性体を備え、
前記腰裏地を前記上側芯地と下側芯地に向けて折り返し、前記タック部の下側の布地に前記腰裏地を縫製により固定したことを特徴とするウエストストレッチ下半身衣服の製造方法。
【請求項２】
前記第１の弾性体の幅が、前記ウエスト部の幅とほぼ同一である請求項１に記載のウエストストレッチ下半身衣服の製造方法。
【請求項３】
前記第１〜３の弾性体の幅の関係が、第１の弾性体＞第３の弾性体≧第２の弾性体である請求項１又は２に記載のウエストストレッチ下半身衣服の製造方法。
【請求項４】
前記腰裏地は前記タック部の下側の布地に縫製糸により点状に固定されている請求項１〜３のいずれかに記載のウエストストレッチ下半身衣服の製造方法。
【請求項５】
前記第１の弾性体の長さ方向の一部は縫糸により身頃に固定されている請求項１〜４のいずれかに記載のウエストストレッチ下半身衣服の製造方法。
【請求項６】
前記縫糸の長さが、前記第１の弾性体の長さを１００％としたとき、３０〜６０％である請求項５に記載のウエストストレッチ下半身衣服の製造方法。
【請求項７】
前記下半身衣服のベルト通しが、前記タック部の上側の布地にはなく、下側の布地に縫い付けられている請求項１〜６のいずれかに記載のウエストストレッチ下半身衣服の製造方法。
【発明の詳細な説明】
【技術分野】
【０００１】
本発明はウエスト部が伸縮構造のウエストストレッチ下半身衣服の製造方法に関する。
【背景技術】
【０００２】
ズボンやスカート等の下半身衣服のウエスト部は、人体のウエストに見合った大きさであることが求められる。人体のウエストに見合った大きさであれば、着心地も良く、外観も良いものとなる。しかし、椅子に座ったりかがむ動作をするときには腹部は前に膨らむ。とくに食後の満腹時などには、通常のズボンやスカートは腹部に圧迫感や窮屈感を感ずることがある。このような不快感を解消するため、特許文献１〜２にはタック部の上布と下布の間に弾性体を接続し、下布によって表側を被覆した伸縮構造のズボンが提案されている。特許文献３〜４には、弾性体を２か所に使用した伸縮構造のズボンが提案されている。
【先行技術文献】
【特許文献】
【０００３】
【特許文献１】特許第２５１８８０３号公報
【特許文献２】特許第２５１８８０４号公報
【特許文献３】特許第３９６４５９５号公報
【特許文献４】特許第３４１８１０９号公報
【発明の概要】
【発明が解決しようとする課題】
【０００４】
しかし、従来の伸縮構造のズボンは、着心地も外観も十分とはいえず、改善することが求められていた。
【０００５】
本発明は前記従来の問題を解決するため、空腹時においても満腹時においても着心地性は良く、外観も優れたウエストストレッチ下半身衣服の製造方法を提供する。
【課題を解決するための手段】
【０００６】
本発明のウエストストレッチ下半身衣服の製造方法は、ウエスト部のタック部周辺に伸縮構造を備えた下半身衣服の製造方法であって、一端が前記タック部の上側の布地に連続する腰裏地に接続され、他端が前記タック部の下側の布地に連続する腰裏地に接続されている第１の弾性体と、一端が前記タック部の下側の布地に連続する芯地に接続され、他端が同上側芯地に接続されている第２の弾性体と、一端がポケット袋地の前上端部に接続され、他端が前記ウエスト部の上側の布地に連続する腰裏地に接続されてＵ字形となっている第３の弾性体を備え、前記腰裏地を前記上側芯地と下側芯地に向けて折り返し、前記タック部の下側の布地に前記腰裏地を縫製により固定したことを特徴とする。
【発明の効果】
【０００７】
本発明のウエストストレッチ下半身衣服は、腰裏地を芯地に向けて折り返していることにより、腰裏地と芯地で袋状になっており、前記腰裏地に第１の弾性体を配置し、前記芯地に第２の弾性体を配置することにより、弾性体に掛かる応力（伸縮力）を分散化できる。これにより、人体側からわずかな力が掛かっても２つの弾性体に均一に応力が掛かり、伸縮性が追従し、着心地性が良好となる。また、第３の弾性体がポケット袋地の前上端部とこれを覆う腰裏地にＵ字形で縫製されていることにより、ポケット袋地の前上端部を覆う腰裏地は折れ曲がらず、めくれることもない。さらに、第１の弾性体に応力が掛かり、腰裏地が動いても、第３の弾性体がタック上側の腰裏地とポケット袋地の前上端部にＵ字形で接続されているため、タック上側の腰裏地とポケット袋地の前上端部の相対的位置の変動があっても、前記変動は第３の弾性体の動きによって吸収される。その結果、空腹時においても満腹時においても着心地性は良く、外観も優れたウエストストレッチ下半身衣服を提供できる。
【図面の簡単な説明】
【０００８】
【図１】図１は本発明の一実施例のウエストストレッチズボンを模式的に示す正面図である。
【図２】図２は同、背面図である。
【図３】図３は同、ウエスト部のタック部裏側の要部拡大図である。
【図４】図４は同、腰裏地を開いたときの要部拡大展開図である。
【図５】図５は同、第１〜３の弾性体の配置を示す要部拡大図である。
【図６】図６は同、第３の弾性体の配置を示す要部拡大図である。
【図７】図７は同、ウエストストレッチズボンの裏側全体を示す説明図である。
【発明を実施するための形態】
【０００９】
本発明のウエストストレッチ下半身衣服は、ウエスト部のタック部周辺に伸縮構造を備えた下半身衣服である。好ましくは、タック部の上側の布地と下側の布地の間に弾性部材を接続し、タック部の上側の布地と下側の布地が伸縮する構造である。タックはワンタックでもよいし、ツータックでもよい。本発明においては、一例としてワンタックを挙げて説明する。なお、本発明の下半身衣服は紳士用ズボン、婦人用スカート、パンツ、キュロット等を含む。また紳士用ズボンは、パンツあるいはスラックスとも言い、女性用はパンタロンとも言う。
【００１０】
ウエスト部は腰裏地と芯地で構成され、腰裏地は芯地を中にして折り返され袋状となっており、第１の弾性体は腰裏地に接続され、第２の弾性体は芯地に接続されている。すなわち、第１の弾性体は一端が前記タック部の上側の布地に連続する腰裏地に接続され、他端が前記タック部の下側の布地に連続する腰裏地に接続され、第２の弾性体は一端が前記タック部の下側の布地に連続する芯地に接続され、他端が同上側芯地に接続されている。これにより、弾性体に掛かる応力（伸縮力）を分散化でき、人体側からわずかな力が掛かっても２つの弾性体に均一に応力が掛かり、伸縮性が追従し、着心地性が良好となる。
【００１１】
第３の弾性体は一端がポケット袋地の前上端部に接続され、他端が前記ウエスト部の腰裏地に接続されてＵ字形となっている。これにより、ポケット袋地の前上端部を覆う腰裏地は折れ曲がらず、めくれることもない。さらに、タック上側の腰裏地とポケット袋地の前上端部の相対的位置の変動があっても、前記変動は第３の弾性体の動きによって吸収される。すなわち、前記変動に対して第３の弾性体は追従する。
【００１２】
第１の弾性体の幅は、ウエスト部の幅とほぼ同一であるのが好ましい。幅広であると、伸縮性が幅広に均一に掛かり、着心地がさらに良好となる。第２及び第３の弾性体はそれほど広くする必要性は無く、第１〜３の弾性体の幅の関係は、第１の弾性体＞第３の弾性体≧第２の弾性体が好ましい。
【００１３】
腰裏地はタック部の下側の布地に点状に縫製されているのが好ましい。点状の縫製としては、虫止めにより縫製がある。虫止めにすることにより、上品な外観となる。
【００１４】
第１の弾性体の上部又は下部の一部の好ましくは端を縫糸により身頃に固定（地縫い）していることが好ましい。地縫いとは非伸縮生地と一緒に縫製する縫い方の一種である。地縫いは第１弾性体の変形を防止するのに有効である。とくに上端は折れ曲がりやすく、折れ曲がると外観が悪くなることから、上端を地縫いするのが好ましい。地縫いは他の部分に入れても良い。地縫いの長さは、第１の弾性体の長さを１００％としたとき、３０〜６０％であるのが好ましい。この長さ割合であれば伸縮性を確保し、かつ第１の弾性体の変形を防止できる。
【００１５】
ズボンのベルト通しは、タック部の上側の布地にはなく、下側の布地に縫い付けられているのが好ましい。タック部の上側の布地を伸縮により動かしやすくするためである。
【００１６】
本発明の下半身衣服の生地素材は、合成繊維、再生繊維、天然繊維及びこれらの混紡品が好ましい。合成繊維はポリエステル繊維、ナイロン繊維、アクリル系繊維等がある。この中でもポリエステル繊維はしわになり難いことから好ましい。再生繊維としてはレーヨン、キュプラ、アセテート、リヨセル（商品名）等がある。天然繊維としてはコットン、麻等のセルロース繊維、獣毛繊維、絹等がある。獣毛繊維はウールが代表的であるが、ラム・ウール、カシミア、モヘア、アルパカ、キャメル、アンゴラも含む。一例として、獣毛繊維及び／又は合成繊維からなる織物で構成するのが好ましい。繊維構成はウール５０％以上が好ましく、さらに好ましくはウール１００％とする。このようにすると最も品質の高い織物とすることができる。
【００１７】
本発明の下半身衣服に使用する生地は織物が好ましく、綾織、平織、朱子織など公知のいかなる織物組織であっても良い。このうち平織組織又は２／１及び２／２綾織物組織が高品位であることから好ましい。織物は先染め品でもよいし、後染め品でもよい。先染め品は綿染め（トップ染めともいう）又は糸染めによって得られる。先染め品を使用することにより、ストライプ柄のような柄を表現することができ、反物間の色彩のずれもない。また、綿染めの場合は複数の色綿を使用して色彩を表現するため品位が高い織物ができる。一方、無地織物は織物を製造した後に染める後染め（反物染め又は生地染めともいう）であっても良い。織物の単位面積当たりの重量（目付）は１００〜３５０ｇ／ｍ2が好ましく、より好ましくは１５０〜２５０ｇ／ｍ2である。
【００１８】
第１〜３の弾性体は、天然ゴム、合成ゴム、ポリウレタン繊維等のスパンデックス等の伸縮性素材をシート状にしたものが好ましい。シートは織物、編み物、ゴム紐が好ましい。第１の弾性体は、タテ５０〜７０ｍｍ、ヨコ７０〜９０ｍｍ、厚さ０．５〜２ｍｍが好ましい。第２の弾性体は、タテ１０〜３０ｍｍ、ヨコ６０〜７０ｍｍ、厚さ０．５〜２ｍｍが好ましい。第３の弾性体は、タテ    １５〜３５ｍｍ、ヨコ３０〜５０ｍｍ、厚さ０．５〜２ｍｍが好ましい。
【実施例】
【００１９】
以下、実施例を用いてさらに具体的に説明する。なお、本発明は下記の実施例に限定されるものではない。
【００２０】
（実施例１）
以下図面を用いて説明する。下記の図面において同一符号は同一物を示す。図１は本発明の一実施例のウエストストレッチズボンを模式的に示す正面図である。このズボン１は身頃７とウエスト部８を含み、ウエスト部８と身頃７の上部にはタック部２が存在する。タック部２にはタックステッチ３が形成されていても良い。４は斜めポケット部である。ベルト通し５ａ，５ｂはタック部２より外側に形成されている。図２は同背面図であり、２つの尻ポケット部６ａ，６ｂが形成され、ベルト通し５ｃ〜５ｆが形成されている。ベルト幅は３５ｍｍとした。２９ａ，２９ｂはタック部の上側の布地、３０ａ，３０ｂはタック部の下側の布地である。
【００２１】
図３は同ウエスト部のタック部裏側の要部拡大図である。第１の弾性体１１は、一端がタック部の上側の布地２９ａに連続する腰裏地９ａ，９ｂに縫製線１３により接続され、他端がタック部の下側の布地３０ａに連続する腰裏地に縫製線１２により接続されて取り付けられている。第１の弾性体１１の幅は、ウエスト部８及び腰裏地９ａ，９ｂの幅とほぼ同一である。第１の弾性体１１は縦（幅）６０ｍｍ（後に２つ折りにする）、横（長さ）８０ｍｍ、厚さ１ｍｍの平ゴムを使用した。また第１の弾性体１１の上端と中央部分の２か所で地縫いした。１４は地縫い部である。地縫いの長さは弾性体１１の長さの約半分とした。１５は地縫いしていないフリー部である。地縫いは第１の弾性体１１にしわが入ったり捩れるのを防止するために加えた。すなわち、平坦性を保持するためである。１０は腰裏地の滑り防止のためのマーベルト、１６は天狗釦、２７はポケット部の袋地、２３は虫止めである。
【００２２】
図４は同腰裏地を開いたときの要部拡大展開図、図５は同第１〜３の弾性体の配置を示す要部拡大図である。２８は腰裏地の内面側である。第２の弾性体１９は、一端がタック部の下側の布地に連続する芯地１８に接続され、他端が同上側芯地１７に接続されている。７ａ，７ｂは身頃７の生地が上端で折り返されている部分である。第２の弾性体１９は縦（幅）２０ｍｍ、横（長さ）７０ｍｍ、厚さ１ｍｍの平ゴムを使用した。
【００２３】
第３の弾性体２０は、一端がポケット袋地２７の前上端部２１と芯地１８に接続され、他端がウエスト部の腰裏地の固定部２２に接続されてＵ字形となっている。Ｕ字形であることは図５に示した通りである。第３の弾性体２０は縦（幅）２５ｍｍ、横（長さ）４０ｍｍ、厚さ１ｍｍの平ゴムを使用した。
【００２４】
図６は同第３の弾性体２０の配置を示す要部拡大図である。第３の弾性体２０はＵ字形となってウエスト部の腰裏地の固定部２２に縫製により接続されている。その上に天狗釦１６が取り付けられている。タック部上側の腰裏地９ａ，９ｂ（マーベルト１０を含む）は第３の弾性体２０を縫製している固定部２１，２２によってポケット袋地２７の前上端部２１と芯地１８に接続されている。タック部の上側の布地２９ａ側には虫止め２３はしていない。
【００２５】
図７は同ウエストストレッチズボンの裏側全体を示す説明図である。ウエスト部８の腰裏地のタック裏には第１の弾性体１１ａ，１１ｂが取り付けられており、腰裏地は虫止め２３により身頃に止められている。腰の背面はマツリ止め２４により折り返し部が止められている。天狗釦１５は天狗２５に止められ、前カン２６は対応するフックに引っ掛けられる。
【００２６】
以上のとおり本実施例のズボンは、腰裏地８の内面側２８を芯地１８，１９に向けて折り返していることにより、腰裏地８と芯地１８，１９で袋状になっており、腰裏地８に第１の弾性体１１を配置し、芯地１８，１９に第２の弾性体１９を配置することにより、弾性体１１，１９に掛かる応力（伸縮力）を分散化できる。これにより、人体側からわずかな力が掛かっても２つの弾性体１１，１９に均一に応力が掛かり、伸縮性が追従し、着心地性が良好となる。また、第３の弾性体２０は一端がポケット袋地の前上端部に接続され、他端が前記ウエスト部の腰裏地に接続されてＵ字形となっていることにより、ポケット袋地の前上端部を覆う腰裏地は折れ曲がらず、めくれることもない。さらに、第１の弾性体１１に応力が掛かり、腰裏地８が動いても、第３の弾性体２０がタック上側の腰裏地２２とポケット袋地２７の前上端部にＵ字形で接続されているため、タック上側の腰裏地２２とポケット袋地２７の前上端部の相対的位置の変動があっても、前記変動は第３の弾性体２０の動きによって吸収される。その結果、空腹時においても満腹時においても着心地性は良く、外観も優れたウエストストレッチズボンとすることができる。
【産業上の利用可能性】
【００２７】
本発明のウエストストレッチ下半身衣服は、座り仕事向けのユニホームスラックス又はスカート、タクシーやバスのドライバーのズボン又はスカート、消防や警察や会社のユニホームスラックス又はスカート、一般の背広や替えズボン又はスカート、キュロット等に有用である。
【符号の説明】
【００２８】
１  ウエストストレッチズボン
２  タック部
３  タックステッチ
４  ポケット部
５ａ〜５ｆ  ベルト通し
６ａ，６ｂ  尻ポケット部
７  身頃
７ａ，７ｂ  身頃の上端部
８  ウエスト部
９ａ，９ｂ  腰裏地
１０  マーベルト
１１，１１ａ，１１ｂ  第１の弾性体
１２，１３  縫製線
１４  地縫い部
１５  フリー部
１６  天狗釦
１７，１８  芯地
１９  第２の弾性体
２０  第３の弾性体
２１  ポケット袋地の前上端部
２２  腰裏地の固定部
２３  虫止め
２４  マツリ止め
２５  天狗
２６  前カン
２７  ポケット部の袋地
２８  腰裏地の内面側
２９ａ，２９ｂ  タック部の上側の布地
３０ａ，３０ｂ  タック部の下側の布地
【要約】
【課題】空腹時においても満腹時においても着心地性は良く、外観も優れたウエストストレッチ下半身衣服の製造方法を提供する。
【解決手段】ウエスト部(8)のタック部周辺に伸縮構造を備えたウエストストレッチ下半身衣服の製造方法であって、一端がタック部の上側の布地(29a)に連続する腰裏地(13)に接続され、他端がタック部の下側の布地(30a)に連続する腰裏地(12)に接続されている第１の弾性体(11)と、一端がタック部の下側の布地に連続する芯地(18)に接続され、他端が同上側芯地(17)に接続されている第２の弾性体(9)と、一端がポケット袋地(27)の前上端部(21)に接続され、他端がウエスト部の上側の布地に連続する腰裏地(22)に接続されてＵ字形となっている第３の弾性体(20)を備え、腰裏地(28)を芯地(17,18)に向けて折り返し、タック部の下側の布地に腰裏地を縫製により固定している。
【選択図】図５【図１】
0005933805.tif 000002
【図２】
0005933805.tif 000003
【図３】
0005933805.tif 000004
【図４】
0005933805.tif 000005
【図５】
0005933805.tif 000006
【図６】
0005933805.tif 000007
【図７】
0005933805.tif 000008